(57)【要約】【課題】操作性を向上することのできる表示装置、画像形成装置、表示装置の制御方法、および表示装置の制御プログラムを提供する。【解決手段】画像形成装置は、基本機能のメニュー項目の一部の機能キーＦＫ１〜ＦＫ７を予め定められた停止位置に停止させて表示する。画像形成装置は、スクロール操作を受け付けた場合に、基本機能のメニュー項目の別の部分の機能キーＦＫ８〜ＦＫ１４を予め定められた停止位置に停止させて表示することにより、表示する基本機能のメニュー項目の機能キーを切り替える。画像形成装置は、応用機能のメニュー項目の一部の機能キーを所定方向に配列して表示した場合に、スクロール操作を受け付けると、スクロール操作の速度に基づいて決定した距離だけ応用機能のメニュー項目を移動させて表示する。【選択図】図３
2014090248.tif 000002
【特許請求の範囲】
【請求項１】
表示装置の機能の設定を受け付ける複数の機能キーにより構成される第１のメニュー項目の第１の部分の機能キーを予め定められた停止位置に停止させて表示する第１の表示手段と、
前記第１の表示手段へのスクロール操作を受け付ける第１の操作受付手段と、
前記第１の操作受付手段にて前記スクロール操作を受け付けた場合に、前記第１の部分とは異なる前記第１のメニュー項目の第２の部分の機能キーを予め定められた停止位置に停止させて表示することにより、表示する第１のメニュー項目の機能キーを切り替える第１の切替手段と、
前記表示装置の機能の設定を受け付ける複数の機能キーにより構成される前記第１のメニュー項目とは異なる第２のメニュー項目の少なくとも一部の機能キーを所定方向に配列して表示する第２の表示手段と、
前記第２の表示手段へのスクロール操作を受け付ける第２の操作受付手段と、
前記第２の操作受付手段にてスクロール操作を受け付けた場合に、前記第２の操作受付手段にて受け付けたスクロール操作の速度に基づいて決定した距離だけ前記第２のメニュー項目を移動させて表示するスクロール手段とを備えた、表示装置。
【請求項２】
前記第１の表示手段にて表示した場合に、設定を受け付けるメニュー項目の変更を受け付ける項目変更受付手段をさらに備え、
前記項目変更受付手段にて変更を受け付けた場合に、前記第１の操作受付手段はスクロール操作の受け付けを中止し、前記第２の操作受付手段はスクロール操作の受け付けを開始する、請求項１に記載の表示装置。
【請求項３】
前記項目変更受付手段にて変更を受け付けた場合に、前記第１の表示手段は機能キーをグレーアウトして表示し、前記第２の表示手段は機能キーをポップアップ表示する、請求項２に記載の表示装置。
【請求項４】
前記第１の切替手段は、前記第１のメニュー項目を移動させて表示することにより、表示する第１のメニュー項目の機能キーを切り替える、請求項１〜３のいずれかに記載の表示装置。
【請求項５】
前記第１の切替手段は、前記第１の操作受付手段にて受け付けたスクロール操作の速度に関係なく、表示する第１のメニュー項目の機能キーを切り替える、請求項１〜４のいずれかに記載の表示装置。
【請求項６】
前記第１および第２の操作受付手段の各々は、一定の速度以上で操作部を移動させる操作であるフリック操作を前記スクロール操作として受け付ける、請求項１〜５のいずれかに記載の表示装置。
【請求項７】
前記第１および第２の操作受付手段の各々は、一定の速度未満で操作部を移動させる操作であるスワイプ操作を前記スクロール操作として受け付ける、請求項１〜６のいずれかに記載の表示装置。
【請求項８】
前記第１および第２のメニュー項目のうち少なくともいずれか一方のメニュー項目を構成する機能キーの選択を受け付けるメニュー項目選択手段をさらに備えた、請求項１〜７のいずれかに記載の表示装置。
【請求項９】
前記メニュー項目選択手段は、前記第１のメニュー項目における機能キーの表示位置に表示する機能キーの選択を受け付ける第１のメニュー項目設定手段を含む、請求項８に記載の表示装置。
【請求項１０】
前記第１のメニュー項目における機能キーの特定の表示位置について、表示する機能キーの選択を前記第１のメニュー項目設定手段が受け付けなかった場合、前記メニュー項目選択手段は前記特定の表示位置に機能キーを表示しない、請求項９に記載の表示装置。
【請求項１１】
前記メニュー項目設定手段は、前記表示装置の機能の設定を受け付ける複数の機能キーの各々について、前記第２のメニュー項目に含めるか否かの設定を受け付ける第２のメニュー項目設定手段を含み、
前記第２のメニュー項目設定手段にて前記第２のメニュー項目に含める設定を受け付けた複数の機能キーの各々を、前記第２の表示手段は一定の間隔で配列して表示する、請求項８〜１０のいずれかに記載の表示装置。
【請求項１２】
前記第１の表示手段が前記第１のメニュー項目を構成する全ての機能キーを一度に表示可能である場合、前記第１の切替手段は機能キーを切り替えない、請求項１〜１１のいずれかに記載の表示装置。
【請求項１３】
前記第２の表示手段が前記第２のメニュー項目を構成する全ての機能キーを一度に表示可能である場合、前記スクロール手段は機能キーをスクロールしない、請求項１〜１２のいずれかに記載の表示装置。
【請求項１４】
前記第１の切替手段にて切り替えた場合に、前記第１の操作受付手段で受け付けたスクロール操作と逆方向のスクロール操作を受け付ける第３の操作受付手段と、
前記第３の操作受付手段にてスクロール操作を受け付けた場合に、前記第１の部分の機能キーを予め定められた停止位置に停止させて表示することにより、表示する第１のメニュー項目の機能キーを切り替える第２の切替手段をさらに備えた、請求項１〜１３のいずれかに記載の表示装置。
【請求項１５】
請求項１〜１４のいずれかに記載の表示装置と、
前記表示装置を通じて受け付けた画像形成に関する機能の設定に基づいて、画像形成を行う画像形成手段とを備えた、画像形成装置。
【請求項１６】
表示装置の機能の設定を受け付ける複数の機能キーにより構成される第１のメニュー項目の第１の部分の機能キーを予め定められた停止位置に停止させて表示する第１の表示ステップと、
前記第１の表示ステップにて表示した場合に、スクロール操作を受け付ける第１の操作受付ステップと、
前記第１の操作受付ステップにて前記スクロール操作を受け付けた場合に、前記第１の部分とは異なる前記第１のメニュー項目の第２の部分の機能キーを予め定められた停止位置に停止させて表示することにより、表示する第１のメニュー項目の機能キーを切り替える第１の切替ステップと、
前記表示装置の機能の設定を受け付ける複数の機能キーにより構成される前記第１のメニュー項目とは異なる第２のメニュー項目の少なくとも一部の機能キーを所定方向に配列して表示する第２の表示ステップと、
前記第２の表示ステップにて表示した場合に、スクロール操作を受け付ける第２の操作受付ステップと、
前記第２の操作受付ステップにてスクロール操作を受け付けた場合に、前記第２の操作受付ステップにて受け付けたスクロール操作の速度に基づいて決定した距離だけ前記第２のメニュー項目を移動させて表示するスクロールステップとを備えた、表示装置の制御方法。
【請求項１７】
表示装置の機能の設定を受け付ける複数の機能キーにより構成される第１のメニュー項目の第１の部分の機能キーを予め定められた停止位置に停止させて表示する第１の表示ステップと、
前記第１の表示ステップにて表示した場合に、スクロール操作を受け付ける第１の操作受付ステップと、
前記第１の操作受付ステップにて前記スクロール操作を受け付けた場合に、前記第１の部分とは異なる前記第１のメニュー項目の第２の部分の機能キーを予め定められた停止位置に停止させて表示することにより、表示する第１のメニュー項目の機能キーを切り替える第１の切替ステップと、
前記表示装置の機能の設定を受け付ける複数の機能キーにより構成される前記第１のメニュー項目とは異なる第２のメニュー項目の少なくとも一部の機能キーを所定方向に配列して表示する第２の表示ステップと、
前記第２の表示ステップにて表示した場合に、スクロール操作を受け付ける第２の操作受付ステップと、
前記第２の操作受付ステップにてスクロール操作を受け付けた場合に、前記第２の操作受付ステップにて受け付けたスクロール操作の速度に基づいて決定した距離だけ前記第２のメニュー項目を移動させて表示するスクロールステップとをコンピューターに実行させる、表示装置の制御プログラム。
【発明の詳細な説明】
【技術分野】
【０００１】
本発明は表示装置、画像形成装置、表示装置の制御方法、および表示装置の制御プログラムに関し、より特定的には、操作性を向上することのできる表示装置、画像形成装置、表示装置の制御方法、および表示装置の制御プログラムに関する。
【背景技術】
【０００２】
今日、ＭＦＰ（Ｍｕｌｔｉｆｕｎｃｔｉｏｎ  Ｐｅｒｉｐｈｅｒａｌ）を始めとする画像形成装置には、タッチパネル式の操作パネル（オペレーションパネル）が搭載されている。ユーザーは操作パネルに表示されたソフトウェアキーをタッチすることで、画像形成装置に対して入力操作を行なうことができる。
【０００３】
従来のＭＦＰの操作パネルでは、表示する画面が階層に区分されている。一般的には、基本機能の設定を受付ける機能キー（機能バッジまたは設定キーとも呼ばれる）を含む画面が上位階層の画面として表示される。この上位階層の画面において「応用機能」キーが押下された場合に、応用機能の設定を受付ける機能キーを含む下位階層の画面に遷移する。
【０００４】
下記特許文献１には、応用ボタンが押下された場合に、基本モード画面から応用モード画面へ移行する画像形成装置が開示されている。この画像形成装置は、画像処理装置に搭載された機能の設定画面を表示するための複数個の機能ボタンが表示された機能ボタン表示領域と、機能ボタンに対応するアイコンが機能の属性に応じてグループ分けされた状態で表示されたアイコン表示領域とを含む応用モード画面を表示する。画像形成装置は、ユーザーがアイコン表示領域の所望の部位を指定すると、機能ボタンをスライドさせ、指定部位に存在するアイコンに対応する機能ボタンを表示画面の機能ボタン表示領域に表示する。
【先行技術文献】
【特許文献】
【０００５】
【特許文献１】特開２０１１−１３８４３６号公報
【発明の概要】
【発明が解決しようとする課題】
【０００６】
従来の画像形成装置において、基本機能の機能キーが多数存在し、全ての基本機能の機能キーを操作パネルの画面に一度に表示できない場合、画像形成装置は、基本機能の機能キーの一部分とトグルボタンとを操作パネルの画面に表示し、トグルボタンが押下された場合に、表示する機能キーを基本機能の機能キーの残りの部分に切り替えていた。一方で、応用機能の機能キーが多数存在し、全ての応用機能の機能キーを操作パネルの画面に一度に表示できない場合、画像形成装置は、応用機能の機能キーの一部分を操作パネルの画面に表示し、フリック操作やスワイプ操作（ドラッグ操作）などのスクロール操作を受け付けた場合に、応用機能の機能キーをスクロールさせることにより、表示する機能キーを応用機能の機能キーの別の部分に切り替えていた。
【０００７】
しかしながら、従来の画像形成装置においては、基本機能の機能キーを表示している場合と、応用機能の機能キーを表示している場合とで、機能キーを切り替える操作が異なるため、操作性が悪いという問題があった。
【０００８】
この問題に関して、基本機能の機能キーに対してスクロール操作を受け付けた場合に、基本機能の機能キーを応用機能の機能キーと同様にスクロールさせる方法も考えられる。しかし、この方法を採用した場合、基本機能の機能キーの表示位置がスクロールにより変化するため、操作性が悪化する。すなわち、基本機能の機能キーは頻繁に使用されるため、ユーザーはその位置を記憶することにより、機能キーの素早い操作を習得している場合が多い。このため、基本機能の機能キーの表示位置がスクロールにより変化すると、ユーザーは機能キーを位置だけで認識することができず、機能キーに記載された文字を判読した上で操作する必要がある。一方で、応用機能の機能キーは、基本機能の機能キーに比べて一般的に使用頻度が少ないため、従来のようにスクロール可能とした方が、機能名称を確認しやすく、操作性が良好になる。
【０００９】
本発明は、上記課題を解決するためのものであり、その目的は、操作性を向上することのできる表示装置、画像形成装置、表示装置の制御方法、および表示装置の制御プログラムを提供することである。
【課題を解決するための手段】
【００１０】
本発明の一の局面に従う表示装置は、表示装置の機能の設定を受け付ける複数の機能キーにより構成される第１のメニュー項目の第１の部分の機能キーを予め定められた停止位置に停止させて表示する第１の表示手段と、第１の表示手段へのスクロール操作を受け付ける第１の操作受付手段と、第１の操作受付手段にてスクロール操作を受け付けた場合に、第１の部分とは異なる第１のメニュー項目の第２の部分の機能キーを予め定められた停止位置に停止させて表示することにより、表示する第１のメニュー項目の機能キーを切り替える第１の切替手段と、表示装置の機能の設定を受け付ける複数の機能キーにより構成される第１のメニュー項目とは異なる第２のメニュー項目の少なくとも一部の機能キーを所定方向に配列して表示する第２の表示手段と、第２の表示手段へのスクロール操作を受け付ける第２の操作受付手段と、第２の操作受付手段にてスクロール操作を受け付けた場合に、第２の操作受付手段にて受け付けたスクロール操作の速度に基づいて決定した距離だけ第２のメニュー項目を移動させて表示するスクロール手段とを備える。
【００１１】
上記表示装置において好ましくは、第１の表示手段にて表示した場合に、設定を受け付けるメニュー項目の変更を受け付ける項目変更受付手段をさらに備え、項目変更受付手段にて変更を受け付けた場合に、第１の操作受付手段はスクロール操作の受け付けを中止し、第２の操作受付手段はスクロール操作の受け付けを開始する。
【００１２】
上記表示装置において好ましくは、項目変更受付手段にて変更を受け付けた場合に、第１の表示手段は機能キーをグレーアウトして表示し、第２の表示手段は機能キーをポップアップ表示する。
【００１３】
上記表示装置において好ましくは、第１の切替手段は、第１のメニュー項目を移動させて表示することにより、表示する第１のメニュー項目の機能キーを切り替える。
【００１４】
上記表示装置において好ましくは、第１の切替手段は、第１の操作受付手段にて受け付けたスクロール操作の速度に関係なく、表示する第１のメニュー項目の機能キーを切り替える。
【００１５】
上記表示装置において好ましくは、第１および第２の操作受付手段の各々は、一定の速度以上で操作部を移動させる操作であるフリック操作をスクロール操作として受け付ける。
【００１６】
上記表示装置において好ましくは、第１および第２の操作受付手段の各々は、一定の速度未満で操作部を移動させる操作であるスワイプ操作をスクロール操作として受け付ける。
【００１７】
上記表示装置において好ましくは、第１および第２のメニュー項目のうち少なくともいずれか一方のメニュー項目を構成する機能キーの選択を受け付けるメニュー項目選択手段をさらに備える。
【００１８】
上記表示装置において好ましくは、メニュー項目選択手段は、第１のメニュー項目における機能キーの表示位置に表示する機能キーの選択を受け付ける第１のメニュー項目設定手段を含む。
【００１９】
上記表示装置において好ましくは、第１のメニュー項目における機能キーの特定の表示位置について、表示する機能キーの選択を第１のメニュー項目設定手段が受け付けなかった場合、メニュー項目選択手段は特定の表示位置に機能キーを表示しない。
【００２０】
上記表示装置において好ましくは、メニュー項目設定手段は、表示装置の機能の設定を受け付ける複数の機能キーの各々について、第２のメニュー項目に含めるか否かの設定を受け付ける第２のメニュー項目設定手段を含み、第２のメニュー項目設定手段にて第２のメニュー項目に含める設定を受け付けた複数の機能キーの各々を、第２の表示手段は一定の間隔で配列して表示する。
【００２１】
上記表示装置において好ましくは、第１の表示手段が第１のメニュー項目を構成する全ての機能キーを一度に表示可能である場合、第１の切替手段は機能キーを切り替えない。
【００２２】
上記表示装置において好ましくは、第２の表示手段が第２のメニュー項目を構成する全ての機能キーを一度に表示可能である場合、スクロール手段は機能キーをスクロールしない。
【００２３】
上記表示装置において好ましくは、第１の切替手段にて切り替えた場合に、第１の操作受付手段で受け付けたスクロール操作と逆方向のスクロール操作を受け付ける第３の操作受付手段と、第３の操作受付手段にてスクロール操作を受け付けた場合に、第１の部分の機能キーを予め定められた停止位置に停止させて表示することにより、表示する第１のメニュー項目の機能キーを切り替える第２の切替手段をさらに備える。
【００２４】
本発明の他の局面に従う画像形成装置は、上記のいずれかの表示装置と、表示装置を通じて受け付けた画像形成に関する機能の設定に基づいて、画像形成を行う画像形成手段とを備える。
【００２５】
本発明のさらに他の局面に従う表示装置の制御方法は、表示装置の機能の設定を受け付ける複数の機能キーにより構成される第１のメニュー項目の第１の部分の機能キーを予め定められた停止位置に停止させて表示する第１の表示ステップと、第１の表示ステップにて表示した場合に、スクロール操作を受け付ける第１の操作受付ステップと、第１の操作受付ステップにてスクロール操作を受け付けた場合に、第１の部分とは異なる第１のメニュー項目の第２の部分の機能キーを予め定められた停止位置に停止させて表示することにより、表示する第１のメニュー項目の機能キーを切り替える第１の切替ステップと、表示装置の機能の設定を受け付ける複数の機能キーにより構成される第１のメニュー項目とは異なる第２のメニュー項目の少なくとも一部の機能キーを所定方向に配列して表示する第２の表示ステップと、第２の表示ステップにて表示した場合に、スクロール操作を受け付ける第２の操作受付ステップと、第２の操作受付ステップにてスクロール操作を受け付けた場合に、第２の操作受付ステップにて受け付けたスクロール操作の速度に基づいて決定した距離だけ第２のメニュー項目を移動させて表示するスクロールステップとを備える。
【００２６】
本発明のさらに他の局面に従う表示装置の制御プログラムは、表示装置の機能の設定を受け付ける複数の機能キーにより構成される第１のメニュー項目の第１の部分の機能キーを予め定められた停止位置に停止させて表示する第１の表示ステップと、第１の表示ステップにて表示した場合に、スクロール操作を受け付ける第１の操作受付ステップと、第１の操作受付ステップにてスクロール操作を受け付けた場合に、第１の部分とは異なる第１のメニュー項目の第２の部分の機能キーを予め定められた停止位置に停止させて表示することにより、表示する第１のメニュー項目の機能キーを切り替える第１の切替ステップと、表示装置の機能の設定を受け付ける複数の機能キーにより構成される第１のメニュー項目とは異なる第２のメニュー項目の少なくとも一部の機能キーを所定方向に配列して表示する第２の表示ステップと、第２の表示ステップにて表示した場合に、スクロール操作を受け付ける第２の操作受付ステップと、第２の操作受付ステップにてスクロール操作を受け付けた場合に、第２の操作受付ステップにて受け付けたスクロール操作の速度に基づいて決定した距離だけ第２のメニュー項目を移動させて表示するスクロールステップとをコンピューターに実行させる。
【発明の効果】
【００２７】
本発明によれば、操作性を向上することのできる表示装置、画像形成装置、表示装置の制御方法、および表示装置の制御プログラムを提供することができる。
【図面の簡単な説明】
【００２８】
【図１】本発明の一実施の形態における画像形成装置の外観を模式的に示す図である。
【図２】画像形成装置１の内部構成を示すブロック図である。
【図３】操作パネル１３０の表示部１３４に表示する基本機能の操作画面を模式的に示す図である。
【図４】表示部１３４へ表示する操作画面を操作画面Ｄ１から操作画面Ｄ２に切り替える場合に表示されるスクロール中の操作画面を模式的に示す図である。
【図５】操作パネル１３０の表示部１３４に表示する応用機能の操作画面を模式的に示す図である。
【図６】操作画面Ｄ３の機能キー表示領域においてユーザーからスクロール操作を受け付けた場合に表示される、スクロール後の操作画面を模式的に示す図である。
【図７】操作パネル１３０の表示部１３４に表示する操作画面の切り替えを模式的に示す図である。
【図８】スクロール操作の速度と、機能キーをスクロールする距離との一般的な関係を模式的に示す図である。
【図９】応用機能の操作画面の表示処理のフローチャートである。
【図１０】操作画面の切替処理およびスクロール処理のフローチャートである。
【図１１】変形例１における操作画面の切替処理およびスクロール処理のフローチャートである。
【図１２】変形例２において、操作パネル１３０の表示部１３４に表示する応用機能の操作画面を模式的に示す図である。
【図１３】基本機能のメニュー項目の設定画面を模式的に示す図である。
【図１４】応用機能のメニュー項目の設定画面を模式的に示す図である。
【図１５】機能キーの編集処理のフローチャートである。
【発明を実施するための形態】
【００２９】
以下、本発明の一実施の形態について、図面に基づいて説明する。
【００３０】
本実施の形態において、表示装置は画像形成装置である。画像形成装置は、ＭＦＰ（Ｍｕｌｔｉｆｕｎｃｔｉｏｎ  Ｐｅｒｉｐｈｅｒａｌ）、ファクシミリ装置、複写機、またはプリンターなどを含む。表示装置は、画像形成装置の他、たとえばタブレット、スマートフォン、またはＰＣ（Ｐｅｒｓｏｎａｌ  Ｃｏｍｐｕｔｅｒ）などであってもよい。
【００３１】
本明細書において、「スクロール操作」は、タッチパネル上の一点を開始点として、タッチパネル上で指や操作棒などの操作部を任意の方向へ移動させる操作を意味する。スクロール操作は、フリック操作、スワイプ操作、およびスクロールバーを移動させる操作などを含む。
【００３２】
［画像形成装置の構成］
図１は、本発明の一実施の形態における画像形成装置の外観を模式的に示す図である。
【００３３】
図１を参照して、画像形成装置１は、ここではＭＦＰであり、その前面に操作パネル１３０を備えている。操作パネル１３０は、画像形成装置１に関する各種情報を表示し、かつ画像形成装置１のオペレーション操作を受け付ける。
【００３４】
図２は、画像形成装置１の内部構成を示すブロック図である。
【００３５】
図２を参照して、画像形成装置１は、ＣＰＵ１０１と、ＲＯＭ（Ｒｅａｄ  Ｏｎｌｙ  Ｍｅｍｏｒｙ）１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０と、画像出力装置１４０と、プリンターコントローラー１５０と、ネットワークＩ／Ｆ１６０とを含んでいる。
【００３６】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。ＲＯＭ１０２は、画像形成装置１の動作を制御する制御プログラムを格納する。ＳＲＡＭ１０３はＣＰＵ１０１の作業用のメモリである。ＮＶＲＡＭ１０４はバッテリバックアップにより、画像形成に関わる各種の設定を記憶している。
【００３７】
制御部１００には、固定記憶装置１１０、画像読取装置１２０、操作パネル１３０、画像出力装置１４０、プリンターコントローラー１５０、およびネットワークＩ／Ｆ１６０の各々がバスを介して接続されている。固定記憶装置１１０は、たとえばＨＤＤ（Ｈａｒｄ  Ｄｉｓｋ  Ｄｒｉｖｅ）であり、操作パネル１３０に表示する画面の画面データや、各種ファイルを格納するボックスなどの各種情報を記憶している。また固定記憶装置１１０は、基本機能のメニュー項目を構成する機能キーおよびその表示位置や、応用機能のメニュー項目を構成する機能キーを記憶している。画像読取装置１２０は、原稿画像を読み取る。操作パネル１３０は、数字の入力を行うテンキー１３１と、プリントジョブの実行指示を受け付けるプリントキー１３２と、ログアウトを受け付けるログアウトキー１３３と、各種情報の画面を表示するＬＣＤなどの表示部１３４と、表示部１３４の前面に配置されたタッチパネル１３５などを含んでいる。タッチパネル１３５は、表示部１３４へのタッチ操作（フリック操作またはスワイプ操作などを含む）を受け付ける。画像出力装置１４０は、用紙上に画像を形成する。プリンターコントローラー１５０は、ネットワークＩ／Ｆ１６０により受信したプリントデータから複写画像を生成する。ネットワークＩ／Ｆ１６０は、ネットワークケーブルを介して画像形成装置１をネットワーク４に接続する。ネットワークＩ／Ｆ１６０は、ネットワーク４に接続した外部機器との間で、各種の情報を送受信する。
【００３８】
［操作画面の切替方法］
続いて、操作パネル１３０に表示する操作画面の切替方法について説明する。
【００３９】
図３は、操作パネル１３０の表示部１３４に表示する基本機能の操作画面を模式的に示す図である。
【００４０】
図３を参照して、電源がオンされた場合や、リセットキー（図示無し）が押下された場合などに、画像形成装置１は、（ａ）に示す基本機能の操作画面Ｄ１を初期画面として表示する。
【００４１】
操作画面Ｄ１は、機能キーＦＫ１〜ＦＫ７と、画面切替キーＫＹ１〜ＫＹ３とを含んでいる。機能キーＦＫ１〜ＦＫ７の各々は、操作画面Ｄ１の下部において、横方向に配列している。機能キーＦＫ１〜ＦＫ７は、基本機能のメニュー項目を構成する機能キー（以下、基本機能の機能キーと呼ぶことがある）の一部分であり、「基本機能１」に分類された機能キーである。操作画面Ｄ１では、基本機能の機能キーの個数が多すぎて、基本機能の全ての機能キーを表示しきれないため、基本機能の機能キーは「基本機能１」と「基本機能２」とに分類されている。画像形成装置１は、機能キーＦＫ１〜ＦＫ７を通じて画像形成装置１の機能の設定（ここでは、画像形成装置１のコピージョブに関する基本機能の設定）を受け付ける。
【００４２】
画面切替キーＫＹ１〜ＫＹ３の各々は、操作画面Ｄ１の右下において、縦方向に配列している。画面切替キーＫＹ１は、表示部１３４に表示する機能キーを、「基本機能１」に分類された機能キーに切り替えるためのキー（表示部１３４に操作画面Ｄ１を表示するためのキー）である。画面切替キーＫＹ２は、表示部１３４に表示する機能キーを、「基本機能２」に分類された機能キーに切り替えるためのキー（表示部１３４に操作画面Ｄ２を表示するためのキー）である。画面切替キーＫＹ３は、設定を行うメニュー項目を、基本機能のメニュー項目から応用機能のメニュー項目へ変更するためのキーである。操作画面Ｄ１では、「基本機能１」に分類された機能キーＦＫ１〜ＦＫ７が表示されているので、画像形成装置１は画面切替キーＫＹ１の操作を受け付けない。画面切替キーＫＹ１は外枠ＬＮで囲まれている。これにより、基本機能の機能キーが「基本機能１」および「基本機能２」というグループ毎に切り替わることをユーザーは理解する。
【００４３】
画像形成装置１は、表示部１３４に操作画面Ｄ１を表示した場合に、機能キー表示領域（機能キーＦＫ１〜ＦＫ７を表示した領域）において、矢印ＡＲ１で示すような右から左へ表示部をなぞるスクロール操作をユーザーから受け付ける。このスクロール操作は、基本機能のメニュー項目を右方向にスクロールさせるスクロール操作である。
【００４４】
このスクロール操作を受け付けると、画像形成装置１は、（ｂ）に示すように、受け付けたスクロール操作の速度（スクロール操作の操作部の移動速度）に関係なく、基本機能の別の操作画面である操作画面Ｄ２を表示部１３４に表示する。これにより、表示部１３４に表示される基本機能のメニュー項目の機能キーが切り替わる。画像形成装置１は、表示部１３４に操作画面Ｄ１を表示した状態で、画面切替キーＫＹ２の押下を受け付けた場合にも、操作画面Ｄ２を表示する。
【００４５】
操作画面Ｄ２は、機能キーＦＫ８〜ＦＫ１４と、画面切替キーＫＹ１〜ＫＹ３とを含んでいる。機能キーＦＫ８〜ＦＫ１４の各々は、操作画面Ｄ２の下部において、横方向に配列している。機能キーＦＫ８〜ＦＫ１４は、基本機能の機能キーの別の部分（基本機能の全ての機能キーのうち、機能キーＦＫ１〜ＫＦ７を除いた残りの部分）であり、「基本機能２」に分類された機能キーである。画像形成装置１は、機能キーＦＫ８〜ＦＫ１４を通じて画像形成装置１の機能の設定（ここでは、画像形成装置１のコピージョブに関する基本機能の設定）を受け付ける。
【００４６】
画面切替キーＫＹ１〜ＫＹ３の各々は、操作画面Ｄ２の右下において、縦方向に配列している。操作画面Ｄ２では、「基本機能２」に分類された機能キーＦＫ８〜ＦＫ１４が表示されているので、画像形成装置１は、画面切替キーＫＹ２の操作を受け付けない。画面切替キーＫＹ２は外枠ＬＮで囲まれている。
【００４７】
画像形成装置１は、表示部１３４に操作画面Ｄ２を表示した場合に、機能キー表示領域（機能キーＦＫ８〜ＦＫ１４を表示した領域）において、矢印ＡＲ２で示すような左から右へ表示部をなぞるスクロール操作をユーザーから受け付ける。このスクロール操作は、基本機能のメニュー項目を左方向にスクロールさせるスクロール操作である。
【００４８】
このスクロール操作を受け付けると、画像形成装置１は、（ａ）に示すように、受け付けたスクロール操作の速度に関係なく、表示部１３４に操作画面Ｄ１を表示する。これにより、表示部１３４に表示される基本機能のメニュー項目の機能キーが切り替わる。画像形成装置１は、表示部１３４に操作画面Ｄ２を表示した状態で、画面切替キーＫＹ１の押下を受け付けた場合にも、操作画面Ｄ１を表示する。
【００４９】
画像形成装置１は、基本機能の機能キーの設定を受け付ける場合には、基本機能の機能キーを操作画面における予め定められた停止位置に常に表示する。具体的には、画像形成装置１は、機能キーＦＫ１〜ＦＫ７の設定を受け付ける場合には、機能キーＦＫ１〜ＦＫ７を操作画面Ｄ１における予め定められた停止位置に常に表示し、機能キーＦＫ８〜ＦＫ１４の設定を受け付ける場合には、機能キーＦＫ８〜ＦＫ１４を操作画面Ｄ２における予め定められた停止位置に常に表示する。設定を受け付ける機能キーを常に同じ位置に表示することにより、ユーザーは、機能キーＦＫ１〜ＦＫ１４のうち頻繁に使用する機能キーの表示位置を記憶することで、その機能キーを素早く操作することができる。
【００５０】
表示部１３４へ表示する操作画面を操作画面Ｄ１から操作画面Ｄ２に切り替える場合に、画像形成装置１は、基本機能の機能キーを右方向へ画面単位でスクロールする態様で、表示する基本機能のメニュー項目を切り替えてもよい。これについて図４を用いて説明する。
【００５１】
図４は、表示部１３４へ表示する操作画面を操作画面Ｄ１から操作画面Ｄ２に切り替える場合に表示されるスクロール中の操作画面を模式的に示す図である。
【００５２】
図４を参照して、たとえば画像形成装置１は、（ａ）に示すように、基本機能の機能キーが操作画面Ｄ１の状態から機能キー３個分だけ右方向へスクロールした状態の操作画面Ｄ１１を表示する。操作画面Ｄ１１では、機能キーＦＫ１〜ＦＫ３は画面から消えており、機能キーＦＫ４〜ＦＫ７はそれぞれ機能キー３個分だけ左方向へ移動した位置に表示されている。機能キーＦＫ７の右側の位置であって、操作画面Ｄ１において機能キーＦＫ５〜ＦＫ７の各々が表示されていた位置には、機能キーＦＫ８〜ＦＫ１０の各々が新たに表示されている。
【００５３】
続いて画像形成装置１は、（ｂ）に示すように、基本機能の機能キーが操作画面Ｄ１の状態から機能キー６個分だけ右方向へスクロールした状態の操作画面Ｄ１２を表示する。操作画面Ｄ１２では、機能キーＦＫ１〜ＦＫ６は画面から消えており、機能キーＦＫ７は機能キー６個分だけ左方向へ移動した位置に表示されている。機能キーＦＫ７の右側の位置であって、操作画面Ｄ１において機能キーＦＫ２〜ＦＫ７の各々が表示されていた位置には、機能キーＦＫ８〜ＦＫ１３の各々が新たに表示されている。なお、スクロール中の操作画面としてより多くの操作画面が、機能キーを段階的に移動させた態様で表示されてもよい。
【００５４】
操作画面Ｄ１２を表示した後で、画像形成装置１は操作画面Ｄ２を表示する。これにより、基本機能の操作画面の画面単位でのスクロールが完了する。なお、操作画面Ｄ１１およびＤ１２は、あくまでも基本機能の機能キーのスクロール中の操作画面であり、操作画面Ｄ１１またはＤ１２を表示している間（スクロール中）に、画像形成装置１は機能キーの操作を受け付けない。すなわち、画像形成装置１は、基本機能の機能キーを予め定められた位置に停止させて表示している場合（操作画面Ｄ１または操作画面Ｄ２を表示している場合）にのみ、基本機能の機能キーの操作を受け付ける。
【００５５】
これとは反対に、表示部１３４へ表示する操作画面を操作画面Ｄ２から操作画面Ｄ１に切り替える場合に、画像形成装置１は、基本機能の機能キーを左方向へ画面単位でスクロールする態様で（操作画面Ｄ１２、操作画面Ｄ１１の順で表示することにより）、表示する基本機能のメニュー項目を切り替えてもよい。
【００５６】
図５は、操作パネル１３０の表示部１３４に表示する応用機能の操作画面を模式的に示す図である。
【００５７】
図５を参照して、図３（ａ）に示す操作画面Ｄ１において画面切替キーＫＹ３の押下を受け付けると、画像形成装置１は、応用機能の操作画面Ｄ３を操作画面Ｄ１の上にポップアップ表示する。操作画面Ｄ１およびＤ２は上位階層（第１階層）の画面であるのに対して、操作画面Ｄ３は下位階層（第２階層）の画面である。この場合、画像形成装置１は、操作画面Ｄ１をグレーアウトして表示し、操作画面Ｄ１に含まれる機能キーＦＫ１〜ＦＫ７の操作を受け付けない。
【００５８】
操作画面Ｄ３は、機能キーＦＫ２１〜ＦＫ２８と、画面切替キーＫＹ４（「閉じる」キー）とを含んでいる。機能キーＦＫ２１〜ＦＫ２８の各々は、操作画面Ｄ３の上部において、横方向に配列している。機能キーＦＫ２１〜ＦＫ２８は、応用機能のメニュー項目を構成する機能キー（以下、応用機能の機能キーと呼ぶことがある）の一部分である。操作画面Ｄ３では、応用機能の機能キーの個数が多すぎて、応用機能の全ての機能キーを表示しきれないため、応用機能のメニュー項目は機能キー表示領域（機能キーＦＫ２１〜ＦＫ２８を表示した領域）にスクロール可能に表示されている。画像形成装置１は、機能キーＦＫ２１〜ＦＫ２８を通じて画像形成装置１の機能の設定（ここでは、画像形成装置１のコピージョブに関する応用機能の設定）を受け付ける。
【００５９】
画面切替キーＫＹ４は、操作画面Ｄ３の右下に配置されている。画面切替キーＫＹ４は、操作画面Ｄ３のポップアップ表示を中止するためのキーである。画面切替キーＫＹ４の押下を受け付けると、画像形成装置１は、操作画面Ｄ３をポップアップ表示する前に表示していた操作画面（ここでは操作画面Ｄ１）を表示し、その操作画面に含まれる機能キーの押下を受け付ける。
【００６０】
なお、図３（ｂ）に示す操作画面Ｄ２において画面切替キーＫＹ３の押下を受け付けた場合、画像形成装置１は、操作画面Ｄ３を操作画面Ｄ２の上にポップアップ表示する。操作画面Ｄ３の下層の操作画面が操作画面Ｄ１ではなく操作画面Ｄ２となる点以外、画像形成装置１は、操作画面Ｄ１において画面切替キーＫＹ３が押下された場合と同様の処理を行う。
【００６１】
画像形成装置１は、表示部１３４に操作画面Ｄ３を表示した場合に、操作画面Ｄ１の機能キーＦＫ１〜ＦＫ７に対するスクロール操作の受け付けを中止し、操作画面Ｄ３の機能キーＦＫ２１〜ＦＫ２８に対するスクロール操作の受け付けを開始する。図５において表示された機能キーＦＫ２１〜ＦＫ２８は、横方向に配列した応用機能の機能キーのうち左端の７個の機能キーである。この状態では、機能キー表示領域は右方向へスクロール可能である。
【００６２】
画像形成装置１は、操作画面Ｄ３の機能キー表示領域において、矢印ＡＲ３で示すようなスクロール操作をユーザーから受け付ける。このスクロール操作は、応用機能のメニュー項目を右方向にスクロールさせるスクロール操作である。
【００６３】
このスクロール操作を受け付けると、画像形成装置１は、受け付けたスクロール操作の速度に基づいて決定した距離だけ、応用機能のメニュー項目をスクロール（スムーズスクロール）する。応用機能は使用頻度の少ない機能なので、スクロール操作に応じて応用機能のメニュー項目をスクロールすることで、ユーザーは応用機能の名称が確認しやすくなる。
【００６４】
図６は、操作画面Ｄ３の機能キー表示領域においてユーザーからスクロール操作を受け付けた場合に表示される、スクロール後の操作画面を模式的に示す図である。
【００６５】
図６を参照して、画像形成装置１は、受け付けたスクロール操作の速度が小さい場合には、（ａ）に示すように、応用機能の機能キーを短い距離だけスクロールした状態の操作画面Ｄ２１を表示する。操作画面Ｄ２１では、機能キーＦＫ２１およびＦＫ２２は画面から消えており、機能キーＦＫ２３〜ＦＫ２８はそれぞれ機能キー２個分だけ左方向へ移動した位置に表示されている。機能キーＦＫ２８の右側の位置であって、操作画面Ｄ３において機能キーＦＫ２７およびＦＫ２８の各々が表示されていた位置には、機能キーＦＫ２９およびＦＫ３０の各々が新たに表示されている。
【００６６】
画像形成装置１は、受け付けたスクロール操作の速度が大きい場合には、（ｂ）に示すように、応用機能の機能キーを長い距離だけスクロールした状態の操作画面Ｄ２２を表示する。操作画面Ｄ２２では、機能キーＦＫ２１〜ＦＫ２６は画面から消えており、機能キーＦＫ２７およびＦＫ２８はそれぞれ機能キー６個分だけ左方向へ移動した位置に表示されている機能キーＦＫ２８の右側の位置であって、操作画面Ｄ３において機能キーＦＫ２３〜ＦＫ２８の各々が表示されていた位置には、機能キーＦＫ２９〜ＦＫ３４の各々が新たに表示されている。
【００６７】
図７は、操作パネル１３０の表示部１３４に表示する操作画面の切り替えを模式的に示す図である。
【００６８】
図７を参照して、「基本機能１」に分類された機能キーを含む操作画面Ｄ１（図７（ａ））を表示している状態で、基本機能の機能キーの表示領域（基本機能のメニュー表示エリア）で、右から左へのスクロール操作（フリック操作またはスワイプ操作）を受け付けた場合、または画面切替キーＫＹ２が押下された場合、画像形成装置１は、矢印ＡＲ４で示すように、表示部１３４に表示する操作画面を、「基本機能２」に分類された機能キーを含む操作画面Ｄ２（図７（ｂ））に切り替える。
【００６９】
操作画面Ｄ２を表示している状態で、基本機能の機能キーの表示領域で、左から右へのスクロール操作（フリック操作またはスワイプ操作）を受け付けた場合、または画面切替キーＫＹ１が押下された場合、画像形成装置１は、矢印ＡＲ５で示すように、表示部１３４に表示する操作画面を、「基本機能１」に分類された機能キーを含む操作画面Ｄ１に切り替える。
【００７０】
操作画面Ｄ１またはＤ２を表示している状態で、画面切替キーＫＹ３が押下された場合、画像形成装置１は、矢印ＡＲ６で示すように、表示部１３４に表示する操作画面を、応用機能のメニュー項目を含む操作画面Ｄ３（図７（ｃ））に切り替える。
【００７１】
操作画面Ｄ３を表示している状態で、画面切替キーＫＹ４が押下された場合、画像形成装置１は、矢印ＡＲ７で示すように、表示部１３４に表示する操作画面を、操作画面Ｄ１またはＤ２に切り替える。
【００７２】
図８は、スクロール操作の速度と、機能キーをスクロールする距離との一般的な関係を模式的に示す図である。
【００７３】
図８を参照して、一般的に、画像形成装置１は、受け付けたスクロール操作の速度が大きいほど、機能キーを大きな距離だけスクロールさせる。一定の速度ＶＴ以上で操作部を移動するスクロール操作がフリック操作であり、一定の速度ＶＴ未満で操作部を移動する操作がスワイプ操作である。画像形成装置１は、フリック操作およびスワイプ操作のうちいずれか一方のみをメニュー項目のスクロール操作として受け付けてもよいし、フリック操作およびスワイプ操作の両方をメニュー項目のスクロール操作として受け付けてもよい。
【００７４】
図９は、応用機能の操作画面の表示処理のフローチャートである。
【００７５】
図９を参照して、画像形成装置１の電源がオンされると、ＣＰＵ１０１は、タッチパネル１３５がタッチされたか否かを判別する（Ｓ１０１）。
【００７６】
ステップＳ１０１において、タッチされたと判別した場合（Ｓ１０１でＹＥＳ）、ＣＰＵ１０１は、タッチされたのが応用機能キー（画面切替キーＫＹ３）であるか否かを判別する（Ｓ１０３）。一方、タッチされないと判別した場合（Ｓ１０１でＮＯ）、ＣＰＵ１０１は処理を終了する。
【００７７】
ステップＳ１０３において、タッチされたのが応用機能キーであると判別した場合（Ｓ１０３でＹＥＳ）、ＣＰＵ１０１は、応用機能のメニュー項目（応用機能の操作画面Ｄ３）を表示部１３４に表示し（Ｓ１０５）、処理を終了する。
【００７８】
ステップＳ１０３において、タッチされたのが応用機能キーでないと判別した場合（Ｓ１０３でＮＯ）、ＣＰＵ１０１は、タッチされたのは、応用機能の操作画面の閉じるキー（画面切替キーＫＹ４）であるか否かを判別する（Ｓ１０７）。
【００７９】
ステップＳ１０７において、タッチされたのが閉じるキーであると判別した場合（Ｓ１０７でＹＥＳ）、ＣＰＵ１０１は、応用機能の操作画面を閉じ、基本機能のメニュー項目（基本機能の操作画面Ｄ１またはＤ２）を表示し（Ｓ１０９）、処理を終了する。一方、ステップＳ１０７において、タッチされたのが閉じるキーでないと判別した場合（Ｓ１０７でＮＯ）、ＣＰＵ１０１は処理を終了する。
【００８０】
図１０は、操作画面の切替処理およびスクロール処理のフローチャートである。
【００８１】
図１０を参照して、画像形成装置１の電源がオンされると、ＣＰＵ１０１は、タッチパネル１３５がタッチされたか否かを判別する（Ｓ２０１）。
【００８２】
ステップＳ２０１において、タッチされたと判別した場合（Ｓ２０１でＹＥＳ）、ＣＰＵ１０１は、タッチされたのが基本機能のメニュー表示エリア（基本機能の機能キー表示領域）であるか否かを判別する（Ｓ２０３）。
【００８３】
ステップＳ２０３において、タッチされたのが基本機能のメニュー表示エリアであると判別した場合（Ｓ２０３でＹＥＳ）、ＣＰＵ１０１は、ジェスチャー操作の種類（具体的には、タッチパネル１３５で受け付けた操作がタッチ操作、フリック操作、およびスワイプ操作のうちいずれであるか）を検出する（Ｓ２０５）。
【００８４】
ステップＳ２０５の処理に続いて、ＣＰＵ１０１は、ジェスチャー操作の種類がスクロール操作（フリック操作またはスワイプ操作）であるか否かを判別する（Ｓ２０７）。
【００８５】
ステップＳ２０７において、スクロール操作であると判別した場合（Ｓ２０７でＹＥＳ）、ＣＰＵ１０１は、基本機能の操作画面を画面単位でスクロールする態様で切り替え（Ｓ２０９）、処理を終了する。一方、ステップＳ２０７において、スクロール操作でないと判別した場合（Ｓ２０７でＮＯ）、ＣＰＵ１０１は処理を終了する。
【００８６】
ステップＳ２０３において、タッチされたのが基本機能のメニュー表示エリアでないと判別した場合（Ｓ２０３でＮＯ）、ＣＰＵ１０１は、ジェスチャー操作の種類（具体的には、タッチパネル１３５で受け付けた操作がタッチ操作、フリック操作、およびスワイプ操作のうちいずれであるか）を検出する（Ｓ２１３）。
【００８７】
ステップＳ２１３の処理に続いて、ＣＰＵ１０１は、ジェスチャー操作の種類がスクロール操作（フリック操作またはスワイプ操作）であるか否かを判別する（Ｓ２１５）。
【００８８】
ステップＳ２１５において、スクロール操作であると判別した場合（Ｓ２１５でＹＥＳ）、ＣＰＵ１０１は、受け付けたスクロール操作の速度に基づいて、スクロールする距離を決定し（Ｓ２１６）、決定した距離だけ応用機能の操作画面をスムーススクロールし（Ｓ２１７）、処理を終了する。一方、ステップＳ２１５において、スクロール操作でないと判別した場合（Ｓ２１５でＮＯ）、ＣＰＵ１０１は処理を終了する。
【００８９】
［操作画面の切替方法の変形例１］
変形例１では、画像形成装置１が基本機能の操作画面を表示している状態で、基本機能のメニュー項目のスクロール操作を受け付けた場合において、スクロールした後で表示する機能キー（項目）が存在しないときは、画像形成装置１は、基本機能の操作画面を切り替えない。同様に、画像形成装置１が応用機能の操作画面を表示している状態で、応用機能のメニュー項目のスクロール操作を受け付けた場合において、スクロールした後で表示する機能キーが存在しないときは、画像形成装置１は、応用機能の操作画面をスクロールしない。
【００９０】
「スクロール操作を受け付けた場合において、スクロールした後で表示する機能キーが存在しない」とは、たとえば、操作画面において表示すべき機能キーの個数が少なく、機能キーが一つの操作画面内に収まる状態でスクロール操作を受け付けた状態や、スクロールしない方向のスクロール操作（たとえば図３（ａ）に示す操作画面Ｄ１や図５に示す操作画面Ｄ３における左から右へのスクロール操作）を受け付けた状態などを意味している。
【００９１】
図１１は、変形例１における操作画面の切替処理およびスクロール処理のフローチャートである。
【００９２】
図１１を参照して、このフローチャートは、ステップＳ２０７の処理とステップＳ２０９の処理との間にステップＳ２３１の判別処理を行う点と、ステップＳ２１５の処理とステップＳ２１６の処理との間にステップＳ２３３の判別処理を行う点とにおいて、図１０に示すフローチャートとは異なっている。具体的には以下の通りである。
【００９３】
ステップＳ２０７において、スクロール操作であると判別した場合（Ｓ２０７でＹＥＳ）、ＣＰＵ１０１は、スクロールした後で表示する機能キーが存在するか否かを判別する（Ｓ２３１）。
【００９４】
ステップＳ２３１において、表示する機能キーが存在すると判別した場合（Ｓ２３１でＹＥＳ）、ＣＰＵ１０１は、基本機能の操作画面を画面単位でスクロールする態様で切り替え（Ｓ２０９）、処理を終了する。一方、ステップＳ２３１において、表示する機能キーが存在しないと判別した場合（Ｓ２３１でＮＯ）、ＣＰＵ１０１は処理を終了する。
【００９５】
ステップＳ２１５において、スクロール操作であると判別した場合（Ｓ２１５でＹＥＳ）、ＣＰＵ１０１は、スクロールした後で表示する機能キーが存在するか否かを判別する（Ｓ２３３）。
【００９６】
ステップＳ２３３において、表示する機能キーが存在すると判別した場合（Ｓ２３３でＹＥＳ）、ＣＰＵ１０１は、受け付けたスクロール操作の速度に基づいて、スクロールする距離を決定し（Ｓ２１６）、決定した距離だけ応用機能の操作画面をスムーススクロールし（Ｓ２１７）、処理を終了する。一方、ステップＳ２３３において、表示する機能キーが存在しないと判別した場合（Ｓ２３３でＮＯ）、ＣＰＵ１０１は処理を終了する。
【００９７】
［操作画面の切替方法の変形例２］
図１２は、変形例２において、操作パネル１３０の表示部１３４に表示する応用機能の操作画面を模式的に示す図である。
【００９８】
図１２を参照して、変形例２では、画像形成装置１が応用機能の操作画面Ｄ３を基本機能の操作画面Ｄ１の上にポップアップ表示した場合に、画像形成装置１は、操作画面Ｄ１に含まれる機能キーＦＫ１〜ＦＫ７をグレーアウトしない。この場合、画像形成装置１は、基本機能の機能キー表示領域（機能キーＦＫ１〜ＦＫ７を表示した領域）に対するユーザーからスクロール操作と、応用機能の機能キー表示領域（機能キーＦＫ２１〜ＦＫ２８を表示した領域）に対するユーザーからスクロール操作との両方を受け付けている状態となる。
【００９９】
［機能キーの編集方法］
次に、基本機能および応用機能の各々の操作画面に表示する機能キーの編集方法について説明する。本実施の形態では、基本機能および応用機能の各々の操作画面に表示する機能キーを、画像形成装置１が有する全ての機能キーからユーザーが任意に選択して設定することができる。
【０１００】
図１３は、基本機能のメニュー項目の設定画面を模式的に示す図である。
【０１０１】
図１３を参照して、基本機能の機能キーの編集を受け付けるキー（たとえば操作パネル１３０のハードウェアキーやソフトウェアキー）の押下を受け付けた場合に、画像形成装置１は、基本機能のメニュー項目の設定画面Ｄ３１（図１３（ａ））を表示部１３４に表示する。設定画面Ｄ３１は、基本機能の機能キーの表示位置１〜７の各々に表示する機能キーの種類の選択を受け付ける画面である。設定画面Ｄ３１は、表示位置１〜７の各々に対応する設定欄ＳＱ１〜ＳＱ７の各々を含んでいる。設定欄ＳＱ１〜ＳＱ７のいずれかの押下を受け付けた場合に、画像形成装置１は、押下を受け付けた設定欄に対応する表示位置に表示する機能キーの選択を受け付ける。
【０１０２】
表示位置１〜７の各々は、図３（ａ）に示す操作画面Ｄ１において、基本機能の機能キーＦＫ１〜ＦＫ７の各々が表示されている位置に対応する。設定画面Ｄ３１では、表示位置１〜７に、それぞれ「原稿画質」、「カラー」、「濃度」、「用紙」、「倍率」、「両面／ページ集約」、および「仕上がり」の機能キーが設定されている。この場合、図３（ａ）に示す操作画面Ｄ１において、機能キーＦＫ１〜ＦＫ７の各々が表示されている位置に、それぞれ「原稿画質」、「カラー」、「濃度」、「用紙」、「倍率」、「両面／ページ集約」、および「仕上がり」の機能キーが表示される。
【０１０３】
設定画面Ｄ３１は、「閉じる」キーＫＹ１１と、「移動」キーＫＹ１２とをさらに含んでいる。「閉じる」キーＫＹ１１が押下された場合、画像形成装置１は、基本機能のメニュー項目の設定画面の表示を終了し、表示部１３４に表示する画面を基本機能の操作画面に切り替える。「移動」キーＫＹ１２が押下された場合、画像形成装置１は、矢印ＡＲ８で示すように、表示部１３４に表示する画面を基本機能のメニュー項目の設定画面Ｄ３２（図１３（ｂ）、設定画面Ｄ３１の下に存在する設定画面）に移動する。
【０１０４】
設定画面Ｄ３２は、基本機能の機能キーの表示位置８〜１４の各々に表示する機能キーの種類の選択を受け付ける画面である。設定画面Ｄ３２は、表示位置８〜１４の各々に対応する設定欄ＳＱ８〜ＳＱ１４の各々を含んでいる。設定欄ＳＱ８〜ＳＱ１４のいずれかの押下を受け付けた場合に、画像形成装置１は、押下を受け付けた設定欄に対応する表示位置に表示する機能キーの選択を受け付ける。
【０１０５】
表示位置８〜１４の各々は、図３（ｂ）に示す操作画面Ｄ２において、基本機能の機能キーＦＫ８〜ＦＫ１４の各々が表示されている位置に対応する。設定画面Ｄ３２では、表示位置８〜１４に、それぞれ「原稿画質」、「ブック原稿」、「連続読み込み」、「自動画像回転」、「下地調整」、「文字再現」、および「光沢コピー」の機能キーが設定されている。この場合、図３（ｂ）に示す操作画面Ｄ２において、機能キーＦＫ８〜ＦＫ１４の各々が表示されている位置に、それぞれ「原稿画質」、「ブック原稿」、「連続読み込み」、「自動画像回転」、「下地調整」、「文字再現」、および「光沢コピー」の機能キーが表示される。
【０１０６】
設定画面Ｄ３１は、「閉じる」キーＫＹ１１と、「移動」キーＫＹ１２とをさらに含んでいる。「移動」キーＫＹ１２が押下された場合、画像形成装置１は、矢印ＡＲ９で示すように、表示部１３４に表示する画面を基本機能のメニュー項目の設定画面Ｄ３１（設定画面Ｄ３２の上に存在する設定画面）に移動する。
【０１０７】
たとえば、設定画面Ｄ３１において設定欄ＳＱ３の押下を受け付けた場合、画像形成装置１は、矢印ＡＲ１０で示すように、表示部１３４に表示する画面を設定画面Ｄ３３（（図１３（ｃ））に移動する。
【０１０８】
設定画面Ｄ３３は、表示位置３に表示する機能キーの選択を受け付ける設定画面である。設定画面Ｄ３３は、表示位置３に表示する機能キーの候補である「自動回転禁止」、「光沢コピー」、「ベースカラー」、「ネガポジ反転」、「とじしろ」、「鏡像」、「下地調整」、「文字再現」、「カラー画質調整」、「小冊子」、「画像シフト」、および「リピート」の各候補キーと、「閉じる」キーＫＹ１１と、「移動」キーＫＹ１４と、「使用する」キーＫＹ１５と、「使用しない」キーＫＹ１６とを含んでいる。
【０１０９】
設定画面Ｄ３３において、任意の候補キーの押下を受け付けた後で、「使用する」キーＫＹ１５の押下を受け付けた場合、画像形成装置１は、表示位置３に表示する基本機能の機能キーとして、押下を受け付けた候補キーの機能を設定する。一方、「使用しない」キーＫＹ１６の押下を受け付けた場合（表示する機能キーの選択を受け付けない場合）、画像形成装置１は、表示位置３に機能キーを表示しない。この場合、図３（ａ）に示す操作画面Ｄ１において、機能キーＦＫ２と機能キーＦＫ４との間隔が、他の機能キー同士の間隔よりも広くなる。
【０１１０】
「閉じる」キーＫＹ１１が押下された場合、「使用する」キーＫＹ１５が押下された場合、または「使用しない」キーＫＹ１６が押下された場合、画像形成装置１は、矢印ＡＲ１１で示すように、表示部１３４に表示する画面を基本機能のメニュー項目の設定画面Ｄ３１に移動する。「移動」キーＫＹ１４が押下された場合、画像形成装置１は、表示する候補キーを他の候補キー（設定画面Ｄ３３に含まれる候補キーの下に存在する候補キー）に移動する。
【０１１１】
設定画面Ｄ３１またはＤ３２を通じて、基本機能の機能キーの構成または表示位置が変更された場合、画像形成装置１は、変更後の基本機能の構成および表示位置を固定記憶装置１１０に記憶する。
【０１１２】
図１４は、応用機能のメニュー項目の設定画面を模式的に示す図である。
【０１１３】
図１４を参照して、応用機能の機能キーの編集を受け付けるキー（たとえば操作パネル１３０のハードウェアキーやソフトウェアキー）の押下を受け付けた場合に、画像形成装置１は、応用機能のメニュー項目の設定画面Ｄ３４を表示部１３４に表示する。設定画面Ｄ３４は、応用機能の候補である「原稿画質」、「カラー」、「濃度」、「用紙」、「倍率」、両面／ページ集約」、および「仕上がり」の各機能に関する機能キーを、応用機能の操作画面に表示するか否かの設定を受け付ける画面である。
【０１１４】
設定画面Ｄ３４は、応用機能の候補である各機能に設けられた「オン」キーＫＹ１７と、「オフ」キーＫＹ１８とを含んでいる。「オン」キーＫＹ１７の押下を受け付けた場合、画像形成装置１は、押下された「オン」キーＫＹ１７に対応する機能に関する機能キーを応用機能の機能キーに設定する。一方、「オフ」キーＫＹ１８の押下を受け付けた場合、画像形成装置１は、押下された「オフ」キーＫＹ１８に対応する機能に関する機能キーを応用機能の機能キーから除外する。図１４の状態では、「原稿画質」、「カラー」、「濃度」、「用紙」、および「仕上がり」の各機能に関する機能キーが応用機能の機能キーに設定されている。
【０１１５】
設定画面Ｄ３４は、「閉じる」キーＫＹ１９と、「移動」キーＫＹ２０とをさらに含んでいる。「閉じる」キーＫＹ１９が押下された場合、画像形成装置１は、応用機能のメニュー項目の設定画面の表示を終了し、表示部１３４に表示する画面を基本機能の操作画面に切り替える。「移動」キーＫＹ２０が押下された場合、画像形成装置１は、表示する応用機能の候補を他の候補（設定画面Ｄ３４に含まれる候補の下に存在する候補）に移動する。表示する応用機能の候補を他の候補へ移動させることで、ユーザーは、画像形成装置１で設定可能な全ての機能について、応用機能に含めるか否かの設定を行うことができる。
【０１１６】
図５および図１４を参照して、操作画面Ｄ３には、設定画面Ｄ３４において応用機能に設定された機能キーが表示される。設定画面Ｄ３４において応用機能に設定された機能の上から下へ向かう配列順序が、操作画面Ｄ３において左から右へ向かう各機能キーの配列順序と等しくなっている。
【０１１７】
具体的には、設定画面Ｄ３４においては、「原稿画質」、「カラー」、「濃度」、「用紙」、および「仕上がり」の機能が、応用機能に設定されている。この場合、画像形成装置１は、操作画面Ｄ３において、機能キーＦＫ２１〜ＦＫ２５の表示位置に、「原稿画質」、「カラー」、「濃度」、「用紙」、および「仕上がり」の各機能に関する機能キーを表示する。一方、設定画面Ｄ３４においては、「用紙」の機能と「仕上がり」の機能との間に存在する「倍率」および「両面／ページ集約」の機能が、応用機能から除外されている。この場合、画像形成装置１は、「用紙」の機能キーと「仕上がり」の機能キーとの間隔を詰めて表示する。これにより、応用機能の全ての機能キーは、操作画面Ｄ３において一定の間隔で配列して表示される。
【０１１８】
設定画面Ｄ３４を通じて、応用機能の機能キーの構成が変更された場合、画像形成装置１は、変更後の応用機能の構成を固定記憶装置１１０に記憶する。
【０１１９】
なお、同一の機能を基本機能および応用機能の両方に含めることも可能である。この場合、基本機能の機能キー表示領域に表示された機能キーと、応用機能の機能キー表示領域に表示された機能キーとは、同一の機能に関するものであっても、スクロール操作を受け付けた時の移動の態様が互いに異なる。
【０１２０】
図１５は、機能キーの編集処理のフローチャートである。
【０１２１】
図１５を参照して、基本機能または応用機能の機能キーの編集を受け付けるキーの押下を受け付けると（Ｓ３０１）、ＣＰＵ１０１は、押下を受け付けたキーに関する機能の設定画面（編集画面）を表示部１３４に表示する（Ｓ３０３）。次にＣＰＵ１０１は、設定画面において設定の変更を受け付けたか否かを判別する（Ｓ３０５）。
【０１２２】
ステップＳ３０５において、設定の変更を受け付けたと判別した場合（Ｓ３０５でＹＥＳ）、ＣＰＵ１０１は、変更後の設定の内容を固定記憶装置１１０に記憶し（Ｓ３０７）、ステップＳ３０５の処理へ進む。
【０１２３】
ステップＳ３０５において、設定の変更を受け付けないと判別した場合（Ｓ３０５でＮＯ）、ＣＰＵ１０１は、画面を変更する操作（たとえば「移動」キーＫＹ１２〜ＫＹ１４またはＫＹ２０の押下）を受け付けたか否かを判別する（Ｓ３１１）。
【０１２４】
ステップＳ３１１において、画面を変更する操作を受け付けたと判別した場合（Ｓ３１１でＹＥＳ）、ＣＰＵ１０１は操作に従って画面を変更し（Ｓ３１３）、ステップＳ３１５の処理へ進む。一方、ステップＳ３１１において、画面を変更する操作を受け付けないと判別した場合（Ｓ３１１でＮＯ）、ＣＰＵ１０１はステップＳ３１５の処理へ進む。
【０１２５】
ステップＳ３１５において、ＣＰＵ１０１は、閉じるキーの押下を受け付けたか否かを判別する（Ｓ３１５）。
【０１２６】
ステップＳ３１５において、閉じるキーの押下を受け付けたと判別した場合（Ｓ３１５でＹＥＳ）、ＣＰＵ１０１は、設定画面を閉じ（Ｓ３１７）、処理を終了する。一方、ステップＳ３１５において、閉じるキーの押下を受け付けないと判別した場合（Ｓ３１５でＮＯ）、ＣＰＵ１０１はステップＳ３０５の処理へ進む。
【０１２７】
［実施の形態の効果］
上述の実施の形態によれば、基本機能の機能キーを予め定められた停止位置に停止させて表示するので、ユーザーは基本機能の機能キーの表示位置を覚えることで素早く基本機能の設定を行うことができ、基本機能を設定する際の利便性を確保することができる。また、操作画面に表示する基本機能の機能キーをスクロール操作によって切り替えることができるので、応用機能の機能キーを切り替える際の操作と同様の操作により基本機能の機能キーを切り替えることができる。その結果、操作性を向上することができる。
【０１２８】
［その他］
上述の実施の形態においては、操作画面における基本機能の機能キーの配列方向および応用機能の機能キーの配列方向がいずれも横方向である場合について示しているが、基本機能の機能キーの配列方向および応用機能の機能キーの配列方向は任意であり、同一の方向であっても異なる方向であってもよい。
【０１２９】
上述の実施の形態においては、画面切替キーＫＹ１およびＫＹ２を操作画面Ｄ１およびＤ２に表示せず、スクロール操作のみによって基本機能の機能キーの表示を切り替えるようにしてもよい。
【０１３０】
操作パネル１３０を通じて画像形成に関する機能の設定を受け付けた状態で、プリントキー１３２の押下を受け付けた場合、画像形成装置１は、受け付けた画像形成に関する機能の設定に基づいて、画像出力装置１４０にて用紙上に画像を形成する。その後、画像形成装置１は、それまでに受け付けた機能の設定を固定記憶装置１１０から削除することにより、全ての機能の設定を初期化してもよいし、それまでに受け付けた設定を保持してもよい。
【０１３１】
基本機能のメニュー項目および応用機能のメニュー項目のうち一方のメニュー項目を構成する機能キーの編集のみをユーザーから受け付け、他方のメニュー項目を構成する機能キーは編集不可であってもよい。また、基本機能のメニュー項目および応用機能のメニュー項目の両方のメニュー項目を構成する機能キーが編集不可であってもよい。
【０１３２】
上述の実施の形態は適宜組み合わせることができる。
【０１３３】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１３４】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  画像形成装置
４  ネットワーク
１００  制御部
１０１  ＣＰＵ
１０２  ＲＯＭ
１０３  ＳＲＡＭ
１０４  ＮＶＲＡＭ
１０５  時計ＩＣ
１１０  固定記憶装置
１２０  画像読取装置
１３０  操作パネル
１３１  テンキー
１３２  プリントキー
１３３  ログアウトキー
１３４  表示部
１３５  タッチパネル
１４０  画像出力装置
１５０  プリンターコントローラー
１６０  ネットワークＩ／Ｆ
Ｄ１〜Ｄ３，Ｄ１１，Ｄ１２  操作画面
Ｄ２１，Ｄ２２  操作画面
Ｄ３１〜Ｄ３４  設定画面
ＦＫ１〜ＦＫ１４，ＦＫ２１〜ＦＫ３４  機能キー
ＫＹ１〜ＫＹ４  画面切替キー
ＫＹ１１〜ＫＹ２０  キー
ＬＮ  外枠
ＳＱ１〜ＳＱ１４  設定欄
【図１】
2014090248.tif 000003
【図２】
2014090248.tif 000004
【図３】
2014090248.tif 000005
【図４】
2014090248.tif 000006
【図５】
2014090248.tif 000007
【図６】
2014090248.tif 000008
【図７】
2014090248.tif 000009
【図８】
2014090248.tif 000010
【図９】
2014090248.tif 000011
【図１０】
2014090248.tif 000012
【図１１】
2014090248.tif 000013
【図１２】
2014090248.tif 000014
【図１３】
2014090248.tif 000015
【図１４】
2014090248.tif 000016
【図１５】
2014090248.tif 000017